(57)【要約】【課題】  排泄物を排泄して便座の下面に飛散した場合であっても、便座の下面を汚すことなく、便座を清潔に保つことのできる使い捨て便座カバー装着部材、使い捨て便座カバー及び便座カバー収納ユニットを提供することを課題とする。【解決手段】  水溶性シートで構成された使い捨て便座カバー１を着座式便器１００の便座１０２に装着するため、弾性変形可能な基材２ｆ，３ｆと、該基材２ｆ，３ｆの一方の面に形成され、前記便座１０２に固定可能な固定層２ｄ，３ｄと、基材２ｆ，３ｆの他方の面に形成され、前記使い捨て便座カバー１を剥離可能に貼着する貼着層２ｅ，３ｅとを有し、前記便座１０２の一方の面に固定可能であることを特徴とする。【選択図】図１
2012179250.tif 000002
【特許請求の範囲】
【請求項１】
水溶性シートで構成された使い捨て便座カバーを着座式便器の便座に装着するための使い捨て便座カバー装着部材であって、
弾性変形可能な基材と、該基材の一方の面に形成され、前記便座に固定可能な固定層と、基材の他方の面に形成され、前記使い捨て便座カバーを剥離可能に貼着する貼着層とを有し、前記便座の一方の面に固定可能であることを特徴とする使い捨て便座カバー装着部材。
【請求項２】
着座式便器の便器本体の上面に便座を載置するために当該上面に向かって便座の下面の一部が突出した脚部を備える便座に用いられ、
前記貼着層は、便座の下面に貼着可能な請求項１に記載の使い捨て便座カバー装着部材。
【請求項３】
前記基材は、便座を便器の上面に載置した際に、便座の下面に固定される固定層と使い捨て便座カバーが貼着される貼着層との間の高さが脚部の高さと略同一となる変形が可能である請求項１又は２に記載の使い捨て便座カバー装着部材。
【請求項４】
着座式便器の便座に装着する水溶性シートで構成された使い捨て便座カバーにおいて、
前記便座の平面形状に即して形成されるカバー本体と、請求項１〜３のいずれか１項に記載の使い捨て便座カバー装着部材とを備えることを特徴とする使い捨て便座カバー。
【請求項５】
請求項４に記載の便座カバーを収納可能であることを特徴とする便座カバー収納ユニット。
【発明の詳細な説明】
【技術分野】
【０００１】
本発明は、着座式便器の便座に使い捨て便座カバーを覆うための使い捨て便座カバー装着部材、該使い捨て便座カバー装着部材を備えた使い捨て便座カバー及び該使い捨て便座カバーを収納可能な便座カバー収納ユニットに関する。
【背景技術】
【０００２】
一般的に、着座式便器（洋式便器）は、排泄物を受ける便器本体と、使用者が排泄するために着座する便座とを備える。そして、便座には、使用者が着座しつつ排泄した排泄物を便器本体に排泄可能な開口部が設けられている。
【０００３】
公共の場などに設置される着座式便器は、不特定多数の者と共用するため、衛生面に配慮する必要がある。そこで、このような場に設置されるトイレ設備には、各使用者が着座式便器の便座に被せ、その上に着座して排泄することで、各使用者の臀部が便座に直接触れないようにした使い捨て便座カバーが提供されるところがある。この使い捨て便座カバーは、便座の上面を覆うシートであり、水溶性の紙で製造されている（例えば、特許文献１等）。そして、この使い捨て便座カバーには、便座の開口部に沿って開口するように、略馬蹄形の切り目線が形成されている。
【先行技術文献】
【特許文献】
【０００４】
【特許文献１】特開平  ７−２３１８６２号公報
【発明の概要】
【発明が解決しようとする課題】
【０００５】
しかし、使用者が排泄物を排泄した際に、その排泄物や便器本体に溜められている水が飛散して、便座の下面を汚してしまうことがある。便座の下面が排泄物等で汚されたままにされてしまうと、便座を清潔に保つことができなくなる。
【０００６】
そこで、本発明は、斯かる実情に鑑み、排泄物を排泄して便座の下面に飛散した場合であっても、便座の下面を汚すことなく、便座を清潔に保つことのできる使い捨て便座カバー装着部材、使い捨て便座カバー及び便座カバー収納ユニットを提供することを課題とする。
【課題を解決するための手段】
【０００７】
本発明に係る使い捨て便座カバー装着部材は、水溶性シートで構成された使い捨て便座カバーを着座式便器の便座に装着するための使い捨て便座カバー装着部材であって、弾性変形可能な基材と、該基材の一方の面に形成され、前記便座に固定可能な固定層と、基材の他方の面に形成され、前記使い捨て便座カバーを剥離可能に貼着する貼着層とを有し、前記便座の一方の面に固定可能であることを特徴とする。
【０００８】
また、本発明の一様態として、着座式便器の便器本体の上面に便座を載置するために当該上面に向かって便座の下面の一部が突出した脚部を備える便座に用いられ、前記貼着層は、便座の下面に貼着可能であることが好ましい。
【０００９】
上記構成の使い捨て便座カバー装着部材は、使用者によって、例えば、装着部材の固定層を便座の下面に固定し、装着部材の粘着層にカバー本体を保持させることにより、便座に装着することができる。この使用者が排泄物を排泄した際に、カバー本体で便座の下面に飛散した排泄物等を受けることができ、便座の下面に飛散する排泄物等が便座の下面に付着するのを阻止できる。そして、この使用者が排泄を終えると、カバー本体を便座から取り外して廃棄処理することができる。したがって、この使い捨て便座カバーで貼着した使い捨て便座カバーは、便座の下面を汚すことなく、便座を清潔に保つことができる。この使い捨て便座カバー装着部材は、特に、下面に脚部を備える便座に対して利用するのに適している。
【００１０】
本発明の一様態として、前記基材は、便座を便器の上面に載置した際に、便座の下面に固定される固定層と使い捨て便座カバーが貼着される貼着層との間の高さが脚部の高さと略同一となる変形が可能であることが好ましい。
【００１１】
上記構成の使い捨て便座カバー装着部材は、脚部を備える便座の下面に装着する際に、製造者毎に異なる脚部の高さ、位置、形状に応じて基材の高さを調整することができ、便座カバーを下面に一様に貼着することができる。よって、便座の下面の形状により貼着する便座カバーに凹凸ができて皺が形成されることにより、便座の下面を覆う範囲が不足することのないようにすることができる。
【００１２】
本発明に係る使い捨て便座カバーは、着座式便器の便座に装着する水溶性シートで構成された使い捨て便座カバーにおいて、前記便座の平面形状に即して形成されるカバー本体と、前述の使い捨て便座カバー装着部材とを備えることを特徴とする。
【００１３】
上記構成の使い捨て便座カバーは、使用者によって、例えば、装着部材の固定層を便座の下面に固定し、装着部材の粘着層にカバー本体を保持させることにより、便座に装着することができる。この使用者が排泄物を排泄した際に、カバー本体で便座の下面に飛散した排泄物等を受けることができ、便座の下面に飛散する排泄物等が便座の下面に付着するのを阻止できる。そして、この使用者が排泄を終えると、カバー本体を便座から取り外して廃棄処理することができる。したがって、この使い捨て便座カバーは、便座の下面を汚すことなく、便座を清潔に保つことができる。
【００１４】
本発明に係る便座カバー収納ユニットは、前記使い捨て便座カバーを収納可能であることを特徴とする。上記構成の便座カバー収納ユニットは、使い捨て便座カバーを使用するときまで収納しておくことができる。
【発明の効果】
【００１５】
以上のように、本発明の使い捨て便座カバー装着部材、使い捨て便座カバー及び便座カバー収納ユニットによれば、排泄物を排泄して便座の下面に飛散した場合であっても、便座の下面を汚すことなく、便座を清潔に保つことのできるという優れた効果を奏し得る。
【図面の簡単な説明】
【００１６】
【図１】本発明の一実施形態に係る使い捨て便座カバーを便座に取り付けた状態の着座式便器及び給水タンクの全体斜視図を示す。
【図２】同実施形態に係る使い捨て便座カバーの上面カバー及び下面カバーの斜視図を示す。
【図３】（ａ）は、着座式便器の便座の下（底）面図を示し、（ｂ）は、同実施形態に係る使い捨て便座カバーの上面カバー（又は、下面カバー）の上面図を示す。
【図４】（ａ）は、同実施形態に係る使い捨て便座カバーを便座に装着したときの、図３（ｂ）の矢視Ａ−Ａ線で切断した断面図を示し、（ｂ）は、（ａ）の囲み部分ａの要部拡大図を示す。
【図５】同実施形態に係る便座カバー収納ユニットを給水タンクに載置した状態の全体斜視図を示す。
【図６】（ａ）は、同実施形態に係る便座カバー収納ユニットの保持板の斜視図を示し、（ｂ）は、（ａ）の矢視Ａ−Ａ線で切断した保持板の断面図を示す。
【図７】他の実施形態に係る便座カバー収納ユニットを給水タンクに載置した状態の全体斜視図を示す。
【図８】（ａ）は、他の実施形態に係る使い捨て便座カバーを便座に装着したときの、図３（ｂ）の矢視Ａ−Ａ線で切断した断面図を示し、（ｂ）は、（ａ）の囲み部分ａの要部拡大図を示す。
【発明を実施するための形態】
【００１７】
以下、本発明の一実施形態に係る使い捨て便座カバー装着部材及び使い捨て便座カバーについて、添付図面を参照しつつ説明する。使い捨て便座カバーの説明に先立ち、該使い捨て便座カバーを用いる着座式便器及び給水タンクについて、図１を参酌しつつ説明する。かかる着座式便器１００は、使用者が着座して排泄物を排泄する形式の便器である。着座式便器１００は、上面に設けられる開口部１０１ｂから使用者の排泄物を受ける便器本体１０１と、使用者が排泄物を排泄するために便器本体１０１の開口部１０１ｂの縁部上に載置される便座１０２と、便座１０２上に載置されて便器本体１０１の開口部１０１ｂを閉鎖する蓋１０３とを備える。
【００１８】
便器本体１０１は、使用者の排泄物を受けて一時的に溜める貯留部１０１ａと、該貯留部１０１ａの上面に形成される略楕円形状の開口部１０１ｂと、貯留部１０１ａに溜められた排泄物を排出する排出部（図示せず）とを備える。貯留部１０１ａは、臭気封止用の溜り水が所定水位まで蓄えられており、使用者により排泄された排泄物は、この溜り水の中に排泄される。なお、ここで言う排泄物とは、糞尿（大便と小便）を指すものとする。
【００１９】
一方、給水タンク１１０は、着座式便器１００の背面（使用者が着座したときに背中と対向する面）に配置され、便器本体１０１の貯留部１０１ａに溜められた排泄物を排出部に押し流す水を蓄え、便器本体１０１に給水するタンクである。給水タンク１１０は、この水を蓄え、栓の開閉により所定量の水を便器本体１０１に供給可能な貯水部１１０ａと、該貯水部１１０ａに給水すると同時に手洗い等のために使用者に給水する給水ノズル１１０ｂと、該給水ノズル１１０ｂから供給された水を受けて貯水部１１０ａに案内する受水鉢１１０ｃとを備える。給水ノズル１１０ｂは、貯水部１１０ａの上面に設けられ、上方に向かって延出され先端側で前方側に湾曲して下方に向かって吐出する管状のノズルである。
【００２０】
次に、本発明の一実施形態に係る使い捨て便座カバー装着部材を備える使い捨て便座カバーについて、図１及び図２を参酌しつつ説明する。かかる使い捨て便座カバー１は、水溶性の紙製であり、使用後に便器本体１０１の貯留部１０１ａに廃棄され、排泄物とともに排出部から排水溝に排出される。使い捨て便座カバー１は、便座１０２の平面形状（上面の形状）に形成される上面カバー２と、便座１０２の平面形状（下面の形状）に形成される下面カバー３とを備える。
【００２１】
上面カバー２は、具体的には、上面（図１の上側）全範囲を覆うように形成される。そして、上面カバー２は、本実施形態に係る便座１０２が略中心に楕円形状の開口部１０１ｂを有する環状のＯ型であるため、この開口部に合致する開口も形成されている。下面カバー３は、便座１０２の下面全範囲を覆うように形成され、便座１０２の開口部に合致する開口が形成されている。そして、上面カバー２及び下面カバー３は、それぞれ、紙製のカバー本体２ａ，３ａと、該カバー本体２ａ，３ａをその便座１０２の上面又は下面と対向する面に取り外し可能に装着する使い捨て便座カバー装着部材（以下、単に「装着部材」と略する）２ｂ，…，３ｂ，…と、カバー本体２ａ，３ａを貫通して形成される開口部２ｃ，２ｃ，３ｃ，３ｃとを備える。
【００２２】
本実施形態に係る上面カバー２及び下面カバー３は、便座の上面及び下面が略相似形をしており、製造工程を簡略化する観点からも、形状が同一となるように形成されている。すなわち、上面カバー２及び下面カバー３とは、それぞれが兼用可能に形成されている。
【００２３】
また、上面カバー２及び下面カバー３は、装着部材２ｂ，…，３ｂ，…を用いて便座１０２の上面又は下面に固定され、使用後に便座１０２の上面又は下面に固定される装着部材２ｂ，…，３ｂ，…から剥がす際に容易に裂けにくいように成形されている。
【００２４】
特に、下面カバー３の場合は、排泄物などが付着することにより強度が低下しやすく、排泄物が付着した部分を残して裂けてしまうようなことを防止することも目的としている。具体的には、上面カバー２及び下面カバー３は、硬質の材質で形成されるか、トイレットペーパーなどの水溶性の紙を複数枚（３枚程度）重ねて強度を高めて形成されている。水溶性の紙同士は、それぞれが容易に剥がれないように、例えば、溶融しやすい片栗粉などでそれぞれが接着されている。
【００２５】
装着部材２ｂ，３ｂは、図３（ａ），図３（ｂ），図４（ａ）及び図４（ｂ）に示すように、便座１０２の上面及び下面のいずれか一方の面に固定可能な固定層２ｄ（，３ｄ）と、カバー本体２ａ，３ａを剥離可能に粘着する粘着層２ｅ（，３ｅ）と、固定層２ｄ（，３ｄ）及び粘着層２ｅ（，３ｅ）との間に位置し、弾性変形可能な基材２ｆ（，３ｆ）とを有する。装着部材２ｂ，…，３ｂ，…は、位置ずれすることがなく装着できるように便座１０２の上面又は下面に取り付けられ、同一面に所定間隔を空けて複数箇所設けられている。
【００２６】
特に、下面カバー３の場合は、図３（ａ）及び図４（ａ）に示すように、便座１０２には、便器１０１に載置する際に便器１０１に当てて便座１０２自身を支える脚部１０２ｂ，…が便座本体１０１ａに対して複数箇所に設けられていることから、図３（ｂ）に示すように、この脚部１０２ｂ，…を避けて装着部材３ｂ，…が装着される。このようにすることにより、便座１０２の脚部１０２ｂと便器１０１との間には、下面カバー３のみが挟まれ、装着部材３ｂ，…が挟まることにより便座１０２と便器１０１との間の隙間の形成を抑制し、又は、便器１０１に対して便座１０２がガタツクことがない。
【００２７】
しかも、この便座１０２の脚部１０２ｂ，…は、着座式便座１００の製造者毎にその便座１０２の下（底）面上の配置及び数、形状等が相違するが、使い捨て便座カバー１を使用しようとする着座式便器１００毎にその脚部１０２ｂ，…の位置を確認して、その脚部１０２ｂ，…を避けて便座１０２の下面に装着部材３ｂ，…を装着すればよく、どのような着座式便座１００にも下面カバー３を装着することができる。
【００２８】
固定層２ｄ，３ｄは、便座１０２の上面及び下面のいずれか一方の面から容易に剥がれないように強粘着タイプ（恒久タイプ）や硬化型の粘着材料を成形したものである。すなわち、固定層２ｄ，３ｄは、便座１０２の上面及び下面のいずれか一方に固定されて、カバー２，３の便座１０２への装着に対して、カバー本体２ａ，３ａのみを交換して、装着部材２ｂ，３ｂを繰り返して利用できる。
【００２９】
粘着層２ｅ，３ｅは、繰り返してカバー本体２ａ，３ａの装着と取り外しを行えるように弱粘着タイプ（可剥離タイプ）や普通タイプ（汎用タイプ）の粘着材料を成形したものを基材２ｆ，３ｆに接合したものであったり、当該粘着材料を噴霧又は塗布して基材２ｆ，３ｆ上に成形したものである。粘着層２ｅ，３ｅの粘着力は、固定層２ｄ，３ｄが有する粘着力に対して弱くなるように選択されることが好ましい。すなわち、カバー２，３を便座１０２から取り外す際に、使用者は、カバー本体２ａ，３ａを把持して便座１０２から引き離すと、カバー本体２ａ，３ａのみが剥がれて、粘着層２ｅ，３ｅが便座１０２に残るようになる。また、粘着層２ｅ，３ｅは、カバー本体２ａ，３ａの剥離の際に抵抗感なく、容易にカバー本体２ａ，３ａを剥がせ、カバー本体２ａ，３ａを損傷することなく、粘着層２ｅ，３ｅ側に残留することもない。
【００３０】
基材２ｆ，３ｆは、固定層２ｄ，３ｄ及び粘着層２ｅ，３ｅを形成しており、一方の面に固定層２ｄ，３ｄが形成され、他方の面に粘着層２ｅ，３ｅが形成されている。また、図４（ａ）及び図４（ｂ）に示すように、基材２ｆ，３ｆの厚さは、装着部材２ｂ，３ｂの厚さが便座１０２の脚部１０２ｂの高さ（便座本体１０２ａからの突出量）より薄くなるように設定されている。そのため、特に、装着部材３ｂを便座１０２の下面（便座本体１０２ａ）に固定し、カバー本体３ａを保持させた際、カバー本体３ａは、便座１０２の便座本体１０２ａに添って保持され、脚部１０２ｂと面する部分のみが脚部１０２ｂに添って隆起した状態となる。すなわち、カバー本体３ａは、便器本体１０１の上面と便座１０２の下面との間に位置するが、脚部１０２ｂと面する部分以外は、直接、便器本体１０１の上面に接触することなく、便座１０２の便座本体１０２ａに添った状態で便座１０２に取り付けられる。よって、使用者は、カバー本体３ａを便座１０２から剥離する際、便器本体１０１に直接接触していない部分を選択して把持することができる。カバー本体３ａが便器本体１０１の上面に直接接触する部分を極力減らし、よって、濡れていることの多い便器本体１０１の上面に接触することにより吸湿して、使用者に把持することをためらわせたり、抵抗を感じさせることなく、カバー本体３ａを把持することができるようになっている。
【００３１】
開口部２ｃ，２ｃ，３ｃ，３ｃは、便座１０２に装着した際に便座１０２の奥手に対応する位置に設けられている。この開口部２ｃ，２ｃ，３ｃ，３ｃは、複数設けられ、本実施形態では、２箇所設けられている。
【００３２】
次に、同実施形態に係る便座カバー収納ユニットについて、図５及び図６（ａ），図６（ｂ）を参酌しつつ説明する。かかる便座カバー収納ユニット４は、給水タンク１１０の上面に載置されて、使い捨て便座カバー１を収納可能なユニットである例を説明する。但し、便座カバー収納ユニット４の設置場所は、給水タンク１１０の上面に限定されるものではなく、トイレ設備の壁面に壁掛けされてもよい。便座カバー収納ユニット４は、上面カバー２及び下面カバー３を収納する収納部４１と、該収納部４１の前面に配置される耐水性のパネル４２とを備える。
【００３３】
収納部４１は、図５、図６（ａ）及び図６（ｂ）に示すように、上面カバー２及び下面カバー３を保持可能な保持板４１ａ（特に、図６（ａ）参照）と、該保持板４１ａを挿入可能なスリットを有する格納部４１ｂ（特に、図５参照）とを備える。保持板４１ａは、平面状の保持板本体４１ｃと、上面カバー２及び下面カバー３を引っ掛ける掛止部材４１ｄ，４１ｄとを備える。
【００３４】
パネル４２は、図５に示すように、収納部４１の前面から所定間隔離間して固定する耐水性のパネル本体４２ａと、給水タンク１１０の給水ノズル１１０ｂに下部を掛止可能な凹部４２ｂと、下端を上端側に向けて折り返して形成される樋部４２ｃと、該樋部４２ｃで受けた水を受水鉢１１０ｃに案内する案内部４２ｄとを備える。
【００３５】
パネル本体４２ａは、収納部４１の前面との間で形成されるスリット状の隙間に挿入して、装飾用シート部材４２ｆを装着可能なシート装着部４２ｅと、該シート装着部４２ｅに装着される装飾用シート部材４２ｆを外部から視認可能に覆うカバー部４２ｇとを備える。なお、装飾用シート部材４２ｆとは、カレンダーやポスター、絵画などである。
【００３６】
次に、同実施形態に係る使い捨て便座カバー１の使用方法について、図１及び図２を参酌しつつ説明する。まず、使用者は、着座式便器１００の便座１０２を跳ね上げて、下面カバー３をその便座１０２の下面側に装着する。続けて、使用者は、便座１０２を元に（便器本体１０１ａの開口縁部に載置した状態に）戻して、その上面カバー２をその便座１０２の上面側に装着する。このとき、上面カバー２及び下面カバー３は、それぞれが便座１０２に装着部材２ｂ，…，３ｂ，…にて接着されており、容易に剥がれたりずれないように装着されている。
【００３７】
以上のように、本実施形態に係る使い捨て便座カバー１は、使用者によって、上面カバー２を着座式便器１００の便座１０２の上面に装着されるとともに、下面カバー３をその便座１０２の下面に装着される。具体的には、使い捨て便座カバー１は、使用者によって、装着部材３ｂの固定層３ｄを便座１０２の下面に固定し、装着部材３ｄの粘着層３ｅにカバー本体３ａを保持することにより、便座１０２に装着することができる。上面カバー２及び下面カバー３は、便座１０２の上面及び下面の両方に対応しており、下面カバー３を便座１０２の上面に装着することができ、上面カバー３を便座１０２の下面に装着することができる。
【００３８】
この使用者が排泄物を排泄する際、上面カバー２のカバー本体２ａで臀部が直接便座１０２の上面に触れることがなく、下面カバー３のカバー本体３ａで便座１０２の下面に飛散した排泄物等が付着するのを阻止できる。そして、この使用者が排泄を終えると、上面カバー２のカバー本体２ａのみ及び下面カバー３のカバー本体３ａのみを便座１０２から取り外して廃棄処理することができる。したがって、この使い捨て便座カバー１は、便座１０２の下面を汚すことなく、便座１０２を清潔に保つことができる。
【００３９】
次に、同実施形態に係る便座カバー収納ユニット４の使用方法について、図５、図６（ａ）及び図６（ｂ）を参酌しつつ説明する。すなわち、便座カバー収納ユニット４から上面カバー２のカバー本体２ａ又は下面カバー３のカバー本体２ａ（以下、単に「カバー本体２ａ，３ａ」と略す）を収納する場合若しくは取り出す場合について、説明する。使用者は、格納部４１ｂに挿入された保持板４１ａを側面方向にスライドすることにより引き出す。引き出された保持板４１ａには、その正面側にカバー本体２ａ，３ａが掛止部材４１ｄ，４１ｄに引っ掛けられている。カバー本体２ａ，３ａは、複数枚重ね合わされていることによりその強度が高く、特に開口部２ｃ，２ｃ，３ｃ，３ｃが割けて脱落しないように保持されている。
【００４０】
使用者は、カバー本体２ａ，３ａを収納する場合であれば、この重ね合わされたカバー本体２ａ，３ａに更に重ね合わせて収納する。使用者は、カバー本体２ａ，３ａを取り出す場合であれば、この重ね合わされたカバー本体２ａ，３ａの最上部のカバー本体２ａ，３ａを取り外して使用する。
【００４１】
以上のように、かかる便座カバー収納ユニット４は、カバー本体２ａ，３ａの形状を崩すことなく収納することができる。また、給水タンク１１０上に載置される便座カバー収納ユニット４は、給水ノズル１１０ｂから受水鉢１１０ｃに供給されて飛散した水を耐水性のパネル４２でカバーして紙製の使い捨て便座カバー１が濡れないように収納することができる。
【００４２】
便座カバー収納ユニット４は、給水ノズル１１０ｂを凹部４２ｂで掛止することにより、給水タンク１１０上に立て掛けることができる。また、便座カバー収納ユニット４は、パネル４２に飛散した水をパネル４２の下端に設けられた樋部４２ｃで受け、該樋部４２ｃで受けた水を案内部４２ｄ，４２ｄで案内して受水鉢１１０ｃに排水することができ、給水タンク１１０上を水浸しにしないようにすることができる。また、カバー本体２ａ，３ａの前面に装飾用シート部材４２ｆを装着することができ、便座カバー収納ユニット４を見栄えよくすることができる。
【００４３】
なお、本発明は、上記実施形態に限定されるものではなく、本発明の要旨を逸脱しない範囲で種々の変更を加え得ることは勿論のことである。
【００４４】
上記実施形態において、着座式便器１００がＯ型の便座１０２を備える例に説明したが、これに限定されるものではなく、例えば、便器は、正面側を切り欠いて上面から見た形状がＵの字状のＵ型の便座であってもよい。この場合、上面カバーは、このＵ型の便座の上面形状に沿って形成され、下面カバーは、このＵ型の便座の下面を覆う面積を有するように形成されるようにしてもよい。
【００４５】
上記実施形態において、便座１０２の上面を１枚の上面カバー２で覆い、便座１０２の下面を１枚の下面カバー３で覆う使い捨て便座カバー１の例を説明したが、これに限定されるものではない。例えば、上面カバー又は下面カバーが左右２分割となっていて、これらを組み合わせることにより、便座の上面又は下面を覆うようにしてもよい。
【００４６】
上記実施形態において、上面カバー２及び下面カバー２の両方を備える例を説明したが、これに限定されるものではない。例えば、一般家庭などで使用される便座カバーであれば、便座１０２の上面に上面カバーを装着しない場合もあり、このような場合には、便座カバーは、（上面カバーを備えておらず）下面カバーのみを備えるものであってもよい。
【００４７】
上記実施形態において、使用者が使い捨て便座カバー１を使用した後、上面カバー２のカバー本体２ａと下面カバー３のカバー本体３ａとを便座１０２から取り外す例を説明したが、これに限定されるものではない。例えば、下面カバー３のカバー本体３ａのみに排泄物が付着したために使い捨て便座カバーを取り替える場合、上面カバー２のカバー本体２ａを取り外さずに、下面カバー３のカバー本体３ａのみを取り外すようにしてもよい。また、下面カバー３のカバー本体３ａに排泄物が付着しなかったため取り替える必要がない場合、上面カバー２のカバー本体２ａのみ取り外し、下面カバー３のカバー本体３ａを取り外さずに取り付けたままにしてもよい。
【００４８】
上記実施形態において、便座カバー収納ユニット４の収納部４１及びパネル４２が、それぞれが収納する上面カバー２のカバー本体２ａ及び下面カバー３のカバー本体３ａを保持する保持板４１ａ、そして、装飾用シート部材４２ｆを側面方向（図５の左右方向）から出し入れ可能な構造とする例を説明したが、これに限定されるものではない。例えば、図７に示すように、便座カバー収納ユニット２０４は、上面カバーのカバー本体及び下面カバーのカバー本体を保持する保持板を上面（図面の上方向）から挿入可能な収納部２４１と、上面から装飾用シート部材を挿入すべく、該収納部２４１の前面に配置されるパネル２４２とを備えるようにしてもよい。
【００４９】
上記実施形態において、上面カバー２（カバー本体２ａ）は、便座の上面の形状に形成される例を説明したが、これに限定されるものではない。例えば、上面カバー（のカバー本体）は、具体的には、上面（図１の上側）及び正面（図１の紙面手前側）から背面（図１の紙面奥手側）に至るまでの両側面（図１の左右方向）の範囲に沿うように立体形成されていてもよい。そして、上面カバー（カバー本体）は、本実施形態に係る便座１０２が略中心に楕円形状の開口部を有する環状のＯ型であるため、この開口部の内側の側面に沿うようにも形成されることが好ましい。
【００５０】
このような形状の上面カバー（カバー本体）は、便座１０２の形状に成型された金型に水を含ませた原紙を当て、加熱プレスして成形され、若しくは、金型に原紙を当て、蒸気を吹きかけて成形されている。また、上面カバー（カバー本体）は、便座１０２の形状に成型された金型に型押しして成形するようにしてもよい。
【００５１】
上記実施形態において、便座カバー収納ユニット４は、パネル４２を備える例を説明したが、これに限定されるものではない。例えば、便座カバー収納ユニットは、パネルを備えていない場合も含まれ、更には、収納部も格納部を備えていない場合であってもよい。
【００５２】
上記実施形態において、便座カバー１は、水溶性の紙製である例を説明したが、これに限定されるものではない。例えば、多糖類、セルロース、でんぷん等の分解性が早い材料を主原料とするフィルム、水溶紙、水解紙、不織布、不織紙などの水溶性シートであれば、どのような材料、形状の便座カバーであってもよい。
【００５３】
上記実施形態において、便座カバー１に用いられる紙は、更に、消臭効果や抗菌効果が付加されるものであってもよい。但し、上記の効果は、浄化槽を用いて下水処理を行っているトイレ設備に対しては、その浄化槽で排泄物を分解するのに用いられる好気性微生物や嫌気性微生物を死滅させることのないものが選択されることが好ましい。
【００５４】
上記実施形態において、便座カバー１の上面カバー２のカバー本体２ａ及び下面カバー３のカバー本体３ａは、容易に裂けることがないように硬く成形されており、複数枚の紙を多重に重ね合わせて形成される例を説明したが、これに限定されるものではない。例えば、上面カバーのカバー本体及び下面カバーのカバー本体は、多重に重ね合わせた水溶性の紙を熱圧縮して接合したものや、ニードルパンチで接合したもの、接着剤で接着させて接合したものであってもよい。
【００５５】
上記実施形態において、上面カバー２のカバー本体２ａ及び下面カバー３のカバー本体３ａが保持板４１ａの掛止部材４１ｄ，４１ｄに開口部２ｃ，２ｃ，３ｃ，３ｃを通して掛止する例を説明したが、これに限定されるものではなく、上面カバー２のカバー本体２ａ及び下面カバー３のカバー本体３ａに開口部に相当する開口を形成せず、保持板４１ａの掛止部材４１ｄ，４１ｄを突き刺すことにより、保持板４１ａに保持するようにしてもよい。
【００５６】
上記実施形態において、基材２ｆ，３ｆの厚さは、装着部材２ｂ，３ｂの厚さが便座１０２の脚部１０２ｂの高さ（便座本体１０２ａからの突出量）より薄くなるように設定されている例を説明したが、これに限定されるものではない。例えば、図８（ａ）及び（ｂ）に示すように、基材２０２ｆ，２０３ｆの厚さは、装着部材２０２ｂ，２０３ｂの厚さが便座１０２の脚部１０２ｂの高さと同じに設定されていてもよい。そのため、特に、装着部材２０３ｂを便座１０２の下面（便座本体１０２ａ）に固定し、カバー本体２０３ａを保持させた際、カバー本体２０３ａは、装着部材３ｂ，…と、脚部１０２ｂ，…とが同じ高さとなり、凹凸が形成されることなく、便座１０２の下面に保持することができる。
【００５７】
また、基材２０２ｆ，２０３ｆは、便座１０２を便器１０１の上面に載置した際に、便座１０２の下面に固定される固定層２０２ｄ，２０３ｄとカバー本体２ａ，３ａが貼着される貼着層２０３ｅ，２０３ｅとの間の高さが脚部１０２ｂの高さと略同一となる変形が可能であってもよい。
【００５８】
特に、使い捨て便座カバー装着部材３ｂを脚部１０２ｂを備える便座１０２の下面に装着する際に、製造者毎に異なる脚部１０２ｂの高さ、位置、形状に応じて基材３ｆの高さを調整することができ、便座カバー１を下面に一様に貼着することができる。よって、便座１０２の下面の形状により貼着する便座カバー１に凹凸ができて皺が形成されることにより、便座１０２の下面を覆う範囲が不足することのないようにすることができる。
【００５９】
なお、便座１０２の上面に固定する装着部材２０２ｂは、必ずしも下面に固定する装着部材２０３ｂと同形状（特に、同じ厚さ）として兼用されるものに限定されず、上記実施形態の便座１０２の上面に固定する装着部材２ｂのように、装着部材の厚さが便座１０２の脚部１０２ｂの高さより薄いものを用いてもよい。すなわち、上面に固定する装着部材の厚さを便座１０２の脚部１０２ｂの高さに関係なく薄くすることにより、装着部材２ｂを便座１０２の上面に固定して上面カバーを装着した際に、上面カバーは、略平面形状のまま便座の上面に装着され、装着部材２ｂにより固定される部分が盛り上がって凸凹ができにくくすることができる。
【００６０】
上記実施形態において、上面カバー２及び下面カバー３がカバー本体２ａ，３ａ及び装着部材２ｂ，…，３ｂ，…から構成される例を説明したが、これに限定されるものではない。すなわち、上面カバー及び下面カバーがそれぞれカバー本体に対して所定数量の装着部材を備えるものに限定されない。例えば、本願発明には、着座式便器１００の便座１０２に装着される装着部材１組に対してカバー本体が少なくとも２以上をセットとする上面カバー又は下面カバーの実施形態も当然に含まれ、また、従来からある使い捨て便座カバーをカバー本体として利用して、装着部材のみの使い捨て便座カバー装着部材の実施形態も含まれる。
【符号の説明】
【００６１】
１…使い捨て便座カバー、２…上面カバー、２ａ…カバー本体、２ｂ…装着部材、２ｃ…開口部、２ｄ…固定層、２ｅ…粘着層、２ｆ…基材、３…下面カバー、３ａ…カバー本体、３ｂ…装着部材、３ｃ…開口部、３ｄ…固定層、３ｅ…粘着層、３ｆ…基材、４…便座カバー収納ユニット、４１…収納部、４１ａ…保持板、４１ｂ…格納部、４１ｃ…保持板本体、４１ｄ…掛止部材、４２…パネル、４２ａ…パネル本体、４２ｂ…凹部、４２ｃ…樋部、４２ｄ…案内部、４２ｅ…シート装着部、４２ｆ…装飾用シート部材、４２ｇ…カバー部、１００…着座式便器、１０１…便器本体、１０１ａ…貯留部、１０１ｂ…開口部、１０２…便座、１０２ａ…便座本体、１０２ｂ…脚部、１０３…蓋、１１０…給水タンク、１１０ａ…貯水部、１１０ｂ…給水ノズル、１１０ｃ…受水鉢、２０２…上面カバー、２０２ａ…カバー本体、２０２ｂ…装着部材、２０２ｄ…固定層、２０２ｅ…粘着層、２０２ｆ…基材、２０３…下面カバー、２０３ａ…カバー本体、２０３ｂ…装着部材、２０３ｃ…開口部、２０３ｄ…固定層、２０３ｅ…粘着層、２０３ｆ…基材、２０４…便座カバー収納ユニット、２４１…収納部、２４２…パネル
【図１】
2012179250.tif 000003
【図２】
2012179250.tif 000004
【図３】
2012179250.tif 000005
【図４】
2012179250.tif 000006
【図５】
2012179250.tif 000007
【図６】
2012179250.tif 000008
【図７】
2012179250.tif 000009
【図８】
2012179250.tif 000010